(57)【特許請求の範囲】
【請求項１】
アッパーであって、該アッパーの外側および内側に配置された紐縛り領域を含むアッパーと、
ソール構造体と、
ラップ部材であって、該ラップ部材の第１の長手方向端部に配置された第１の縁部、該ラップ部材の第２の長手方向端部に配置された第２の縁部、および、概ね前記第１の縁部と前記第２の縁部との間に配置された中央部を含むラップ部材と、
を備え、
前記ラップ部材は、前記外側および前記内側のそれぞれの紐縛り領域で前記アッパーに取り外し可能に取り付けられて、前記ソール構造体の一部の下側で延在し、
前記ラップ部材は、前記第１の縁部および前記第２の縁部のそれぞれと関連する第１の幅から前記中央部と関連する第２の幅までテーパ状になっている、履物において、
前記アッパーは、
前記外側および前記内側上に一対のアライメントストリップをさらに備え、
前記一対の前記アライメントストリップは、前記ソール構造体から前記紐縛り領域まで前記アッパーに沿って延在し、
前記一対のアライメントストリップは前記ラップ部材の形状に対応するように離間している、履物。
【請求項２】
前記第１の幅は、前記紐縛り領域と関連する第１の長さに対応する寸法に形成されている請求項１に記載の履物。
【請求項３】
前記ソール構造体は、
アウトソールと、
ミッドソールと、
をさらに備え、
前記アウトソールは、前記ソール構造体の前足領域および踵領域に配置され、
前記ラップ部材は、前記ソール構造体の一部の下側で延在し、この一部とは、前記前足領域のアウトソールと前記踵領域のアウトソールとの間の位置で前記ミッドソールに配置されたチャネル内の部分のことである、請求項１に記載の履物。
【請求項４】
前記第２の幅は、前記チャネルと関連する第２の長さに対応する寸法に形成されている、請求項３に記載の履物。
【請求項５】
前記チャネルは、前記ソール構造体の中足領域で前記ミッドソールに形成された溝を備え、
前記溝は、前記ラップ部材の前記中央部の厚さに対応する深さを有する、請求項３に記載の履物。
【請求項６】
前記チャネルは、前記履物の着用者の土踏まずと整列するように配置されている、請求項３に記載の履物。
【請求項７】
アッパーであって、該アッパーの外側および内側に配置された複数の小穴を有する紐縛り領域を含むアッパーと、
ソール構造体と、
ラップ部材であって、該ラップ部材の第１の長手方向端部に配置された第１の縁部、該ラップ部材の第２の長手方向端部に配置された第２の縁部、および、概ね前記第１の縁部と前記第２の縁部との間に配置された中央部を含むラップ部材と、
を備え、
前記第１の縁部および前記第２の縁部はそれぞれ、前記複数の小穴と整列する間隔に配置された複数の紐通し穴を含み、
前記ラップ部材は、前記複数の小穴と前記複数の紐通し穴とを通して配置された紐によって前記外側および前記内側のそれぞれ上の前記紐縛り領域で前記アッパーに取り外し可能に取り付けられ、
前記ラップ部材の前記中央部は、前記ソール構造体の一部の下側で延在する、履物において、
前記アッパーは、
前記外側および前記内側上に一対のアライメントストリップをさらに備え、
前記一対の前記アライメントストリップは、前記ソール構造体から前記紐縛り領域まで前記アッパーに沿って延在し、
前記一対のアライメントストリップは前記ラップ部材の形状に対応するように離間している、履物。
【請求項８】
前記外側および前記内側の前記紐縛り領域に配置された前記アッパーの外表面部は、前記ラップ部材が前記アッパーに取り付けられたときに前記ラップ部材の下側に位置する複数の通気部材を含む、請求項７に記載の履物。
【請求項９】
前記ラップ部材は、前記ソール構造体の一部の下側で第１の角度を有するように延在し、この第１の角度は前記複数の紐通し穴の配列と関連付けられている、請求項７に記載の履物。
【請求項１０】
前記ソール構造体は、
アウトソールと、
ミッドソールと、
をさらに備え、
前記アウトソールは、前記ソール構造体の前足領域および踵領域に配置され、
前記ラップ部材の前記中央部は、前記ソール構造体の一部の下側で延在し、この一部とは、前記前足領域および前記踵領域の前記アウトソール間の位置で前記ミッドソールに配置されたチャネル内の部分のことである、請求項７に記載の履物。
【請求項１１】
前記複数の小穴と前記複数の紐通し穴とを通して配置された紐を締め付けることにより、前記チャネル内の前記ラップ部材上に張力がもたらされる、請求項１０に記載の履物。
【請求項１２】
前記チャネルは、前記履物の着用者の土踏まずと整列するように配置され、
前記チャネル内の前記ラップ部材上に作用する前記張力は前記着用者の土踏まずを支える、請求項１１に記載の履物。
【請求項１３】
履物と共に使用するラップ部材であって、
前記ラップ部材の第１の長手方向端部に配置された第１の縁部と、
前記ラップ部材の第２の長手方向端部に配置された第２の縁部と、
概ね前記第１の縁部と前記第２の縁部との間に配置された中央部と、
を備え、
前記ラップ部材は、該ラップ部材が半分に折り畳まれたときに前記第１の縁部と前記第２の縁部とが概ね整列するように横軸に関してほぼ対称であり、
前記ラップ部材は、前記履物のアッパーに取り外し可能に取り付けられて前記履物のソール構造体の一部の下側で延在するように構成されていて、
前記アッパーは、
該アッパーの外側および内側上に一対のアライメントストリップをさらに備え、
前記一対の前記アライメントストリップは、前記ソール構造体から紐縛り領域まで前記アッパーに沿って延在し、
該ラップ部材は、該ラップ部材が履物に取り付けられたときに一対のアライメントストリップ間の空間にほぼ嵌まり込む形状である、ラップ部材。
【請求項１４】
前記ラップ部材は、一対の履物における左右の履物間で互換性を有するように構成された、請求項１３に記載のラップ部材。
【請求項１５】
前記ラップ部材の一方の面の第１の表面と、
前記ラップ部材の反対の面の第２の表面と、
をさらに備え、
前記ラップ部材は、該ラップ部材が前記履物の前記アッパーに取り外し可能に取り付けられたときに、前記第１の表面が前記アッパーと接触する場合と前記第２の表面が前記アッパーと接触する場合との間でリバーシブルであるように構成された、請求項１３に記載のラップ部材。
【請求項１６】
前記第１の表面と前記第２の表面とは、少なくとも１つの互いに異なる特性を有する、請求項１５に記載のラップ部材。
【請求項１７】
前記少なくとも１つの互いに異なる特性は、色、文字、印刷デザイン、反射率、粗さ、および／または材料のうちの少なくとも１つを含む、請求項１６に記載のラップ部材。
【請求項１８】
前記ラップ部材の前記中央部は、前記ソール構造体の一部の下側で延在し、この一部とは、前記履物の前足領域のアウトソールと踵領域のアウトソールとの間の位置でミッドソールに配置されたチャネル内の部分のことである、請求項１３に記載のラップ部材。
【請求項１９】
前記第１の縁部および前記第２の縁部はそれぞれ、前記履物の前記アッパーに配置された複数の小穴と整列する間隔で配置された複数の紐通し穴をさらに含み、
前記ラップ部材は、前記複数の小穴と前記複数の紐通し穴とを通して配置された紐を使用して前記アッパーに取り外し可能に取り付けられる、請求項１３に記載のラップ部材。
【発明の詳細な説明】
【技術分野】
【０００１】
本発明は、概して履物に関し、詳しくは、取り外し可能なラップを有する履物に関する。
【背景技術】
【０００２】
履物には、着用者が物品の外観を変えることを可能にする装飾被覆体が設けられている。一般に、これらの被覆体は物品を部分的に覆うように適合する。着用者は、物品の外観を変えるために被覆体を変えてもよい。
【発明の概要】
【発明が解決しようとする課題】
【０００３】
当該技術分野においては、履物に異なる外観を与えかつ着用者の足を支えることもできる取り外し可能なラップ（被覆体）が必要とされている。
【課題を解決するための手段】
【０００４】
１つの態様において、本発明は、アッパーであって、該アッパーの外側および内側に配置された紐縛り領域を含むアッパーと、ソール構造体と、ラップ部材であって、該ラップ部材の第１の長手方向端部に配置された第１の縁部、該ラップ部材の第２の長手方向端部に配置された第２の縁部、および、概ね第１の縁部と第２の縁部との間に配置された中央部を含むラップ部材とを備え、ラップ部材は、外側および内側のそれぞれの紐縛り領域でアッパーに取り外し可能に取り付けられて、ソール構造体の一部の下側で延在し、ラップ部材が、第１の縁部および第２の縁部のそれぞれと関連する第１の幅から中央部と関連する第２の幅までテーパ状になっている、履物を提供する。
【０００５】
別の態様において、本発明は、アッパーであって、該アッパーの外側および内側に配置される複数の小穴（アイレット）を有する紐縛り領域を含むアッパーと、ソール構造体と、ラップ部材であって、該ラップ部材の第１の長手方向端部に配置された第１の縁部、該ラップ部材の第２の長手方向端部に配置された第２の縁部、および、概ね第１の縁部と第２の縁部との間に配置された中央部を含むラップ部材とを備え、第１の縁部および第２の縁部のそれぞれが、複数の小穴と実質的に整列する間隔に配置された複数の紐通し穴を含み、ラップ部材が、複数の小穴と複数の紐通し穴とを通して配置された紐によって外側および内側のそれぞれ上の紐縛り領域でアッパーに取り外し可能に取り付けられ、ラップ部材の中央部は、ソール構造体の一部の下側で延在する、履物を提供する。
【０００６】
別の態様において、本発明は、履物と共に使用するラップ部材であって、ラップ部材の第１の長手方向端部に配置された第１の縁部と、ラップ部材の第２の長手方向端部に配置された第２の縁部と、概ね第１の縁部と第２の縁部との間に配置された中央部とを備え、ラップ部材は、該ラップ部材が半分に折り畳まれたときに第１の縁部と第２の縁部とが概ね整列するように横軸に沿ってほぼ対称であり、ラップ部材が、履物のアッパーに取り外し可能に取り付けられて、履物のソール構造体の一部の下側で延在するように構成されている、ラップ部材を提供する。
【０００７】
他の態様において、ラップ部材は、ソール構造体の一部の下側で延在し、この一部とは、前足領域および踵領域のアウトソール間の位置でミッドソールに配置されたチャネル内の部分のことである。
【０００８】
別の態様において、チャネルは、履物の着用者の土踏まずとほぼ位置合わせされるように位置される。
【０００９】
別の態様において、ラップ部材は、一対の履物における左右の履物間で互換性のあるものとして適合される。
【００１０】
本発明の他のシステム、方法、特徴、および、利点は、以下の図面および詳細な説明を検討することで当業者に明らかであり、あるいは明らかになる。そのようなさらなるシステム、方法、特徴、および、利点の全てが、この明細書本文およびこの概要に含まれ、本発明の範囲内であり、以下の特許請求の範囲によって保護されることが意図される。
【００１１】
本発明は、以下の図面および説明を参照してさらに良く理解できる。図中の構成要素は必ずしも一定の縮尺ではなく、本発明の原理を示すことに重点が置かれている。また、同様の参照符号は、各図にわたって対応する部分を示す。
【図面の簡単な説明】
【００１２】
【図１】取り外し可能なラップ部材を含む履物の例示的な実施形態の等角投影図である。
【図２】取り外し可能なラップ部材を含む履物の例示的な実施形態の側面図である。
【図３】緩んだ状態での取り外し可能なラップ部材を含む履物の例示的な実施形態の側面図である。
【図４】部分的に取り外された状態での取り外し可能なラップ部材を含む履物の例示的な実施形態の側面図である。
【図５】取り外し可能なラップ部材を含む履物の例示的な実施形態の分解側面図である。
【図６】取り外し可能なラップ部材を含む履物の例示的な実施形態の分解底面図である。
【図７】リバーシブルなラップ部材の例示的な実施形態の代表的な図である。
【図８】交換可能でリバーシブルなラップ部材の例示的な実施形態の代表的な図である。
【発明を実施するための形態】
【００１３】
図１〜図６は、履物１００の実施形態の図を示している。明確にするため、以下の詳細な説明はゴルフシューズの形で実施形態を論じるが、本発明は、サッカーシューズ、フットボールシューズ、ラグビーシューズ、野球シューズ、バスケットボールシューズ、スニーカー、ハイキング用ブーツ、および他の種類の履物を含む（これらに限定されない）任意の履物の形態を成すことができることに留意されたい。図１においては、単に物品１００とも称される履物１００は右足用として示しているが、以下の説明は、左足用として鏡写しにした履物についても同様に適用できることを理解されたい。
【００１４】
参照の目的で図１〜図６に注意を向けると、物品１００は、前足領域１０と、中足領域１２と、踵領域１４とを含んでもよい。前足領域１０は、一般に、中足骨と指骨とを結合するつま先および関節と関連付けられてもよい。中足領域１２は、一般に、土踏まずと関連付けられてもよい。同様に、踵領域１４は、一般に、踵骨を含む足の踵と関連付けられてもよい。また、物品１００は内側１６および外側１８を含んでもよい。特に、内側１６および外側１８は物品１００の対向する両側であってもよい。さらに、内側１６および外側１８がいずれも、前足領域１０、中足領域１２、および踵領域１４にわたって延びてもよい。
【００１５】
前足領域１０、中足領域１２、および踵領域１４は、単に説明を目的としているにすぎず、物品１００の正確な領域を画定するものではなく、相対的な位置を説明するものであることが理解されよう。同様に、内側１６および外側１８は、物品１００を２つの半体へと精密に画定するのではなく、一般に物品の２つの側を表わすことを意図している。また、前足領域１０、中足領域１２、および踵領域１４、ならびに内側１６および外側１８は、ソール構造体および／またはアッパーなどの物品の個々の構成要素にも適用することができる。
【００１６】
一貫性および便宜上の理由で、方向性の形容詞は、図示の実施形態に対応してこの詳細な説明の全体にわたって使用される。この詳細な説明の全体および特許請求の範囲にわたって使用される「長手の」という用語は、物品の長手方向のことである。いくつかの場合、長手方向は、物品の前足領域から踵領域まで延在する。また、この詳細な説明の全体および特許請求の範囲にわたって使用される「横の」という用語は、物品の幅方向のことである。言い換えると、横方向は、物品の内側と外側との間に延在する。これらの方向性の形容詞のそれぞれがソール構造体および／またはアッパーなどの物品の個々の構成要素に適用されることが理解されよう。
【００１７】
履物１００はアッパー１０２を含んでもよい。一般に、アッパー１０２は任意の型式のアッパーであってもよい。詳しくは、アッパー１０２は、任意のデザイン、形状、サイズ、および／または色を有してもよい。例えば、物品１００がゴルフシューズである実施形態では、アッパー１０２は頂部の低いアッパーとなることができる。物品１００がバスケットボールシューズである実施形態では、アッパー１０２は、足首をしっかりと支えるように形成された頂部の高いアッパーとなることができる。一般に、アッパー１０２は、ナイロン、天然皮革、合成皮革、天然ゴム、または合成ゴムを含む（これらに限定されない）材料を含む任意の適した材料から形成されてもよい。いくつかの場合、アッパー１０２は任意の適切な、編まれた、織られた、または不織りの材料から形成することができる。
【００１８】
明確にするため、例示的な実施形態では、アッパー１０２の一部だけについて説明する。アッパー１０２は、歩行、ランニング、または、他の運動行為を助けるために当該技術分野で周知の他の手段を含んでもよいことを理解されたい。
【００１９】
一般に、アッパー１０２は、着用者の足を受けるように構成されている。幾つかの実施形態において、アッパー１０２は、着用者の足を受けるように構成された入口穴つまりスロート開口１０４を含む。この構成により、入口穴つまりスロート開口１０４があることで、足をアッパー１０２の内部へ挿入することができる。
【００２０】
幾つかの実施形態では、アッパー１０２はソール構造体１０１と関連付けられている。ソール構造体１０１は、アッパー１０２に固定されていて、物品１００が着用されているときに足と地面との間に延在する。異なる実施形態では、ソール構造体１０１は異なる構成要素を含んでもよい。例えば、ソール構造体１０１は、アウトソール、ミッドソール、および／またはインソールを含んでもよい。１つまたは複数のこれらの構成要素が選択的であってもよい。ソール構造体１０１は、エラストマー、シロキサン、天然ゴム、他の合成ゴム、アルミニウム、スチール、天然皮革、合成皮革、またはプラスチックを含む（これらに限定されない）材料を含む任意の適した材料から形成されてもよい。
【００２１】
幾つかの実施形態では、ソール構造体１０１は物品１００に静止摩擦力を与えるように構成されてもよい。静止摩擦力を与えることに加えて、ソール構造体１０１は、歩行中、ランニング中、あるいは他の歩行活動中に足と地面との間で圧縮されたときに地面反力を減衰させ得る。ソール構造体１０１の形態は、様々な従来構造または非従来構造を含むように異なる実施形態において大きく異なってもよい。いくつかの場合、ソール構造体１０１の形態は、該ソール構造体１０１の使用環境における１つまたは複数の地面の種類に応じて構成することができる。地表面の例としては、天然芝、人工芝、土、ならびに他の表面が挙げられるが、これらに限定されない。
【００２２】
幾つかの実施形態では、アッパー１０２はシューズ締結システム１０６を含んでもよい。シューズ締結システム１０６は、アッパー１０２を足に締め付けるために使用されてもよい。シューズ締結システムの例としては、紐、留め金、面ファスナ（ベルクロ（登録商標）など）、および任意の他の型式の締結システムが挙げられるが、これらに限定されない。一実施形態では、シューズ締結システム１０６が紐１１０を含む。また、シューズ締結システム１０６は紐縛り領域１０８を含んでもよい。紐縛り領域１０８は、入口穴１０４から前足領域１０まで延在するアッパー１０２の隙間または開口であってもよい。この実施形態では、紐１１０が紐縛り領域１０８の寸法を変えるように構成されてもよく、それにより、アッパー１０２の寸法がさらに調整され得る。
【００２３】
この実施形態において、履物１００は、アッパー１０２内で足を固定する紐１１０を含む。一般に、紐１１０は、アッパー１０２を締結するために必要な任意の長さに構成されていてもよい。また、紐１１０は、紐１１０の断面の外観が特定の形状を有するように構成されてもよい。幾つかの実施形態では、紐１１０は略平坦な断面を有する。他の実施形態では、紐１１０は略円形断面を有するように構成されてもよい。
【００２４】
一般に、紐１１０は、皮革、綿、ジュート、麻、または合成繊維を含む（これらに限定されない）材料を含む任意の材料を備えてもよい。また、紐１１０は、紐１１０を締結状態に維持する摩擦力を増大させる材料でコーティングされていてもよい。いくつかの場合、紐１１０が弾性部を含んでいてもよい。
【００２５】
アッパー１０２を締結するために、紐１１０は紐縛り領域１０８に跨って構成されていてもよい。一般に、紐縛り領域１０８は、アッパー１０２上の様々な場所に配置され得る。幾つかの実施形態において、紐縛り領域１０８は、アッパー１０２の内側１６と外側１８との間に配置されてもよい。他の実施形態において、紐縛り領域１０８は、紐縛り領域１０８の一部が内側１６内や外側１８内に完全に配置されるように非対称的に配置されていてもよい。例示的な一実施形態においては、紐縛り領域１０８は、アッパー１０２の内側１６と外側１８との間の中心線にほぼ沿って配置されてもよい。
【００２６】
幾つかの実施形態では、紐縛り領域１０８は舌革（ベロ）１１２と関連付けられている。舌革１１２はアッパー１０２のつま先部１１４と関連付けられていることも好ましい。一般に、舌革１１２は、つま先部１１４に取り付け固定されて、紐縛り領域１０８内に配置されてもよい。しかし、他の場合には、舌革１１２が取り外しできてもよい。
【００２７】
一般に、舌革１１２は、任意のデザイン、形状、サイズ、および／または色を有する。いくつかの場合、舌革１１２は物品１００に独特な美的外観を与えてもよい。また、舌革１１２は、紐１１０が足の周囲にアッパー１０２を締結したときに足の快適さを高めるパッドまたは他の手段を含んでもよい。
【００２８】
幾つかの実施形態では、紐縛り領域１０８は紐１１０を通す手段を含んでもよい。幾つかの実施形態において、紐縛り領域１０８は、紐１０８を受ける複数の小穴を内側１６および外側１８上に含んでもよい。この詳細な説明の全体および特許請求の範囲にわたって使用される「小穴」という用語は、紐の一部を履物で受けるように構成された構造のことである。いくつかの場合、小穴は、金属、コード、織物、または皮革を含む（これらに限定されない）材料を含む材料で補強された穴であってもよい。他の実施形態において、小穴は、織物、コード、皮革、または金属を含む（これらに限定されない）材料を含む材料のループにより形成された開口であってもよい。
【００２９】
幾つかの実施形態では、小穴は対の小穴として配置されてもよい。対の小穴は、アッパーの外側上に配置される第２の小穴と関連するアッパーの内側の小穴を含んでもよい。いくつかの場合、対の小穴は、アッパーの内側から外側へ横方向に並んでいてもよい。さらに、複数の対の小穴が一組の小穴として編成されてもよい。
【００３０】
物品１００は、該物品１００の外観を変えるための１つまたは複数の手段を含んでもよい。いくつかの場合、物品１００の外観を変えるために、物品１００の１つまたは複数の部分が交換されてもよい。幾つかの実施形態では、ラップ部材１５０が物品１００と関連している。ラップ部材１５０は、物品１００の外観を変えるために設けられてもよい。例示的な実施形態では、ラップ部材１５０を取り外すことができる。他の実施形態では、ラップ部材１５０が固定されている。
【００３１】
図２に示されるように、この実施形態において、ラップ部材１５０は、以下にさらに説明するように、内側１６と外側１８のそれぞれについての紐縛り領域１０８でアッパー１０２に取り外し可能に取り付けられてもよい。この実施形態では、ラップ部材１５０はソール構造体１０１の一部の下側で延在する。一実施形態では、ラップ部材１５０は中足領域１２においてソール構造体１０１の一部の下側で延在する。例示的な実施形態において、ラップ部材１５０は、物品１００にサドルシューズの外観を与えるように構成されてもよい。他の実施形態では、ラップ部材１５０は着用者の土踏まずを支えてもよい。
【００３２】
一実施形態では、ラップ部材は弾性材料から構成されている。この構成の場合、ラップ部材は、着用者の土踏まずを支えるように構成されてもよい。様々な実施形態において、ラップ部材１５０は、天然皮革、合成皮革、天然繊維、ゴム、弾性繊維、および他のタイプの材料を含む（これらに限定されない）材料を含む種々の材料から構成されてもよい。いくつかの場合、ラップ部材１５０の一部が異なる材料から構成されてもよい。幾つかの実施形態において、ラップ部材１５０の一部は、色、文字、印刷デザイン、反射率、粗さ、および／または材料を含む（これらに限定されない）種々の特性を有してもよい。
【００３３】
幾つかの実施形態では、ソール構造体１０１はミッドソール２００とアウトソール２０２とを含んでもよい。他の実施形態では、ソール構造体１０１はインソールをさらに含んでもよい。この実施形態では、ミッドソール２００はアッパー１０２の下側領域に取り付けられてもよい。ミッドソール２００は、縫い合わせ、接着ボンディング、および／または熱ボンディングを含む（これらに限定されない）任意の適切な取り付け機構を使用してアッパー１０２に取り付けられているとよい。ミッドソール２００は、内側１６と外側１８との間で、前足領域１０、中足領域１２、および／または踵領域１０４のそれぞれにわたって延在してもよい。
【００３４】
例示的な一実施形態において、ミッドソール２００は、ソール構造体１０１が足と地面との間で圧縮されるときに地面反力を減衰させるポリウレタンまたはエチルビニルアセテートを含む（これらに限定されない）ポリマー発泡材料から構成されてもよい。他の実施形態では、ミッドソール２００は、エラストマー、シロキサン、天然ゴム、他の合成ゴム、および／またはプラスチックを含む（これらに限定されない）材料を含む任意の適切な材料から構成されてもよい。
【００３５】
図２に示されるように、ミッドソール２００は、アッパー１０２とアウトソール２０２との間で延在してもよい。幾つかの実施形態において、アウトソール２０２は、任意の適切な取り付け機構を使用してミッドソール２００に取り付けられている。他の実施形態では、ミッドソール２００および／またはアウトソール２０２の一部が１つまたは複数の材料から一体に形成されている。例示的な一実施形態において、ソール構造体１０１は、一体のミッドソール２００およびアウトソール２０２を形成するために射出成形を使用して構成されてもよい。幾つかの実施形態では、アウトソール２０２は天然ゴムまたは合成ゴムから構成されてもよい。異なる実施形態において、アウトソール２０２は、エラストマー、シロキサン、天然ゴム、他の合成ゴム、および／またはプラスチックを含む（これらに限定されない）材料を含む任意の適切な耐久性のある耐摩耗性材料から構成されてもよい。
【００３６】
次に、図３を参照すると、例示的な実施形態では、履物１００は、ラップ部材１５０を快適さおよび支持の望ましいレベルに調整する手段を含んでもよい。幾つかの実施形態では、ラップ部材１５０の調整は物品１００の幅に何らかのカスタマイズを施してもよい。一般に、足の周囲でのラップ部材１５０の締め付けは、様々な機構を使用して実現される。例示的な実施形態では、ラップ部材１５０はアッパー１０２のシューズ締結システム１０６と関連付けられている。幾つかの実施形態において、ラップ部材１５０は、シューズ締結システム１０６に対応する取り付けシステムを含んでいる。
【００３７】
アッパー１０２上のシューズ締結システム１０６は、少なくとも１つの小穴を含んでもよい。この実施形態において、アッパー１０２の内側１６は、紐縛り領域１０８に沿って配置される第１の小穴３１０、第２の小穴３１２、第３の小穴３１４、第４の小穴３１６、および第５の小穴３１８を含んでもよい。この実施形態では、第１の小穴３１０は、入口穴１０４に隣接して配置される。同様に、第５の小穴３１８は、つま先部１１４に隣接して配置される。第２の小穴３１２、第３の小穴３１４、および第４の小穴３１６は、第１の小穴３１０と第５の小穴３１８との間のアッパー１０２上に配置されてもよい。一般に、第１の小穴３１０、第２の小穴３１２、第３の小穴３１４、第４の小穴３１６、および、第５の小穴３１８のそれぞれは、一対の小穴を形成するために、アッパー１０２の外側１８の同様の場所に配置される対応する小穴を含んでもよい。この実施形態において、物品１００は、アッパー１０２に配置される５対の小穴を含む。他の実施形態では、物品１００は５対より少ない或いは多い小穴を含んでもよい。他の場合には、小穴は非対称的に配置されてもよく、および／または互いに対を成して配置されなくてもよい。
【００３８】
幾つかの実施形態において、紐縛り領域１０８と関連するアッパー１０２の内側１６および外側１８以外の部分は、紐１１０を受ける手段を含んでもよい。一実施形態において、つま先部１１４は、紐１１０をつま先部１１４に固定するための１つまたは複数の小穴を紐縛り領域１０８の近傍に含んでもよい。他の実施形態では、舌革１１２が紐１１０を受ける手段を含んでもよい。一実施形態において、舌革１１２は、足がアッパー１０２内に配置されたときに舌革１１２を所定の位置に固定するための１つまたは複数の小穴を含んでもよい。
【００３９】
幾つかの実施形態においては、ラップ部材１５０は、シューズ締結システム１０６の１つまたは複数の部分に対応する取り付けシステムを含んでもよい。幾つかの実施形態では、ラップ部材１５０は取り外し可能な取り付けシステムを含んでもよい。この実施形態においては、ラップ部材１５０は、アッパー１０２上の紐縛り領域１０８と関連する複数の紐通し穴を含む。この詳細な説明の全体および特許請求の範囲にわたって使用される「紐通し穴」という用語は、紐を受ける開口を有するラップ部材の部分を指す。幾つかの実施形態では、紐通し穴は前述した小穴を含んでもよい。この実施形態においては、ラップ部材１５０は、物品１００の内側１６と関連する第１の紐通し穴３２２、第２の紐通し穴３２４、第３の紐通し穴３２６、および第４の紐通し穴３２８を含む。同様に、ラップ部材１５０は、物品１００の外側１８と関連する第５の紐通し穴３３２、第６の紐通し穴３３４、第７の紐通し穴３３６、および、第８の紐通し穴３３８を含む。
【００４０】
幾つかの実施形態において、ラップ部材１５０上に配置されている１つまたは複数の紐通し穴は、アッパー１０２上の紐縛り領域１０８に配置される小穴と関連付けられている。例示的な一実施形態においては、ラップ部材１５０上に配置される複数の紐通し穴は、アッパー１０２上の複数の小穴と実質的に整列する間隔で配置されている。この実施形態では、第１の紐通し穴３２２、第２の紐通し穴３２４、第３の紐通し穴３２６、および第４の紐通し穴３２８は、アッパー１０２の内側１６上の第２の小穴３１２、第３の小穴３１４、第４の小穴３１６、および第５の小穴３１８のそれぞれと実質的に整列する。同様に、第５の紐通し穴３３２、第６の紐通し穴３３４、第７の紐通し穴３３６、および第８の紐通し穴３３８は、アッパー１０２の外側１８上に配置された対応する小穴と実質的に整列する。
【００４１】
再び図３を参照すると、物品１００は、アッパー１０２上の紐縛り領域１０８に配置された複数の小穴とラップ部材１５０上に配置された複数の紐通し穴とに紐１１０が緩く通された状態で示されている。この構成を有することで、ラップ部材１５０は、紐１１０を使用してアッパー１０２に取り外し可能に取り付けられ得る。他の実施形態では、ラップ部材１５０は、他の一時的な取り付け機構を使用してアッパー１０２から取り外しできてもよい。
【００４２】
紐１１０は、当該技術分野で周知の任意の態様で、アッパー１０２上の複数の小穴およびラップ部材１５０上の複数の紐通し穴に通されてもよい。図３は、アッパー１０２上の小穴およびラップ部材１５０上の複数の紐通し穴に紐１１０が通された例示的な実施形態を示している。他の実施形態においては、着用者の足の周囲にアッパー１０２およびラップ部材１５０を取り外し可能に取り付けるために、紐１１０は、異なる態様で通されてもよい。
【００４３】
幾つかの実施形態では、履物１００の入口穴１０内へ足を入れてもよい。物品１００内に足を入れた後、この足を物品１００内で固定するために紐１１０が締結されてもよい。紐１１０を締結することにより、着用者の足の周囲にアッパー１０２およびラップ部材１５０が締め付けられる。幾つかの実施形態では、ラップ部材１５０はソール構造体の一部の下側で延在する。一実施形態において、ラップ部材１５０は、着用者の土踏まずと実質的に並ぶソール構造体の中足領域１２の部分の周囲に延在し得る。この構成の場合、紐１１０を締結することにより、ラップ部材１５０は、物品１００の中足領域１２に張力を及ぼし、着用者の土踏まずを支えることができる。
【００４４】
幾つかの実施形態において、着用者は、物品１００の周囲におけるラップ部材１５０の締め付けの程度を調整できる。ラップ部材１５０の締め付けは、紐１１０の締結の張力の大きさを変えることによって調整され得る。この構成を有することで、ラップ部材１５０は、履き心地を良くしかつ着用者の土踏まずを支持するように調整され得る。
【００４５】
いくつかの場合、ソール構造体１０１の周囲でのラップ部材１５０のフィット具合を変えることにより、物品１００の幅をいくらかカスタマイズすることが可能になる。この構成を有することで、着用者は、物品１００のアッパー１０２において異なる幅を得るために紐１１０の締結を調整することができる。他の場合、物品１００の周囲でラップ部材１５０の締め付けおよび／またはフィット具合を調整するために、ラップ部材１５０が異なる長さであってもよい。この構成では、着用者が土踏まずの周囲でカスタマイズされたフィット具合を得ることができるように、様々な長さの１つまたは複数のラップ部材が、物品１００と共に用いるべく設けられてもよい。
【００４６】
次に、図４を参照すると、この実施形態では、ラップ部材１５０をアッパー１０２から取り外すことができるように紐１１０が除去されている。幾つかの実施形態では、アッパー１０２は、サドル部４００を含んでもよい。この実施形態においては、サドル部４００は、ラップ部材１５０が物品１００に取り付けられたときにラップ部材１５０の下側にあるアッパー１０２の部分に対応する。物品１００の内側１６が図４に示されていて以下の実施形態で説明されるが、対応する要素が物品１００の外側１８にも設けられてよいことを理解されたい。
【００４７】
幾つかの実施形態において、サドル部４００は、アッパー１０２とラップ部材１５０との間で通気を行なうための１つまたは複数の手段を含んでもよい。例示的な一実施形態では、サドル部４００は、表面にわたって配置される複数の通気部材４０２を含んでもよい。いくつかのある場合、通気部材４０２は、物品１００の内部と外部との間で空気が通流できるようにするアッパー１０２の表面の小さな穴つまり穿孔であってもよい。他の場合には、通気部材４０２は、ラップ部材１５０とアッパー１０２との間で空気が通流できるようにするアッパー４０２の表面の浅いへこみ、あるいはくぼみであってもよい。他の実施形態では、通気部材４０２は選択的であり、あるいは省かれてもよい。
【００４８】
幾つかの実施形態では、通気部材４０２はサドル部４００上にわたってパターンを成して配置されてもよい。幾つかの実施形態において、通気部材４０２のパターンは、アッパー１０２のサドル部４００に所望の量の通気を与えるように形成されてもよい。例示的な一実施形態では、通気部材４０２は市松模様で配置されてもよい。他の実施形態では、通気部材４０２は任意の幾何学的、規則的、あるいは不規則的なパターンで配置されてもよい。
【００４９】
幾つかの実施形態では、アッパー１０２のサドル部４００は、アライメントストリップによって１つまたは複数の側で画定されてもよい。例示的な実施形態では、前方アライメントストリップ４０４が概ね物品１００の前足領域１０寄りの位置でアッパー１０２上に配置され、また、後方アライメントストリップ４０６が概ね物品１００の踵領域１４寄りの位置でアッパー１０２上に配置される。前方アライメントストリップ４０４は、ミッドソール２０２に隣接するアッパー１０２の下端から紐縛り領域１０８に隣接するアッパー１０２の上端まで延びる。同様に、後方アライメントストリップ４０６は、ミッドソール２０２に隣接するアッパー１０２の下端から紐縛り領域１０８に隣接するアッパー１０２の上端まで延びてもよい。この実施形態では、後方アライメントストリップ４０６は、第１の小穴３１０と第２の小穴３１２との間の紐縛り領域１０８で終端してもよい。他の実施形態では、前方アライメントストリップ４０４および／または後方アライメントストリップ４０６は、アッパー１０２の異なる部分に沿って始まってもよいし、終端してもよい。
【００５０】
この実施形態において、前方アライメントストリップ４０４および後方アライメントストリップ４０６は、サドル部４００に対応するアッパー１０２の領域を画定する一対のアライメントストリップを形成してもよい。幾つかの実施形態において、前方アライメントストリップ４０４と後方アライメントストリップ４０６とは、ラップ部材１５０の形状に実質的に対応するようにアッパー１０２上で離間されている。この実施形態において、ラップ部材１５０は、ラップ部材１５０が物品１００に取り付けられたときに一対のアライメントストリップ間の空間にほぼ嵌まり込む。
【００５１】
１つの例示的な実施形態において、前方アライメントストリップ４０４および後方アライメントストリップ４０６は、ラップ部材１５０の厚さとほぼ同じ厚さを有する材料から構成されてもよい。この構成により、ラップ部材１５０は、アッパー１０２上の一対のアライメントストリップ間のサドル部４００上にわたって面一に位置し得る。他の実施形態では、前方アライメントストリップ４０４および／または後方アライメントストリップ４０６は、ラップ部材１５０よりも厚くても薄くてもよい。
【００５２】
前方アライメントストリップ４０４および後方アライメントストリップ４０６は、縫い合わせ、接着ボンディング、および／または熱ボンディングを含む（これらに限定されない）任意の適した取り付け機構を使用してアッパー１０２に取り付けられてもよい。いくつかの場合、アライメントストリップは、アッパー１０２を構成するために使用される任意の材料から構成されてもよい。他の場合には、アライメントストリップは、アッパー１０２を構成するために使用される材料とは異なる材料であって、色、反射率、および／または粗さを含む（これらに限定されない）様々な特性を有する材料を含む材料から構成されてもよい。
【００５３】
次に、図５を参照すると、ラップ部材１５０は物品１００から完全に取り外されて示されている。幾つかの実施形態においては、物品１００は、ラップ部材１５０がソール構造体１０１の下側で延在できるようにするチャネル５００を有する。例示的な実施形態では、チャネル５００は、ソール構造体１０１のミッドソール２００に配置されてもよい。この実施形態では、チャネル５００は、概ねソール構造体１０１の中足領域１２に位置される。いくつかの場合、チャネル５００は、履物１００の着用者の土踏まずと実質的に整列するように位置されてもよい。
【００５４】
幾つかの実施形態においては、前方アライメントストリップ４０４および後方アライメントストリップ４０６は、所定の角度に沿ってソール構造体１０１の下側で延びているラップ部材１５０を案内することを補助する。例示的な実施形態においては、ラップ部材１５０は、ソール構造体１０１の一部の下側でチャネル５００を通って第１の角度Ａ１で延在している。一実施形態において、第１の角度Ａ１は、ラップ部材１５０上に配置された複数の紐通し穴の配列と関連し得る。この実施形態においては、第１の紐通し穴３２２、第２の紐通し穴３２４、第３の紐通し穴３２６、および第４の紐通し穴３２８は、ラップ部材がソール構造体１０１の下側でチャネル５００を通って延在するときにラップ部材１５０の第１の角度Ａ１を形成するように、アッパー１０２の内側１６上の第２の小穴３１２、第３の小穴３１４、第４の小穴３１６、および第５の小穴３１８のそれぞれと実質的に整列している。
【００５５】
幾つかの実施形態においては、ラップ部材１５０は、第１の長手方向端部に位置する第１の縁部５０２と、第２の長手方向端部に位置する第２の縁部５０４とを含んでもよい。第１の縁部５０２および第２の縁部５０４は、ラップ部材１５０の長手方向軸の両端上に配置される。この実施形態においては、第１の紐通し穴３２２、第２の紐通し穴３２４、第３の紐通し穴３２６、および第４の紐通し穴３２８は、ラップ部材１５０の第１の長手方向端部上にある第１の縁部５０２に隣接して配置されてもよい。同様に、第５の紐通し穴３３２、第６の紐通し穴３３４、第７の紐通し穴３３６、および第８の紐通し穴３３８は、ラップ部材１５０の第２の長手方向端部上にある第２の縁部５０４に隣接して配置されてもよい。
【００５６】
ラップ部材１５０は、概ね第１の縁部５０２と第２の縁部５０４との間に配置される中央部５０６を含んでもよい。この実施形態においては、中央部５０６は、ラップ部材１５０が物品１００に取り付けられたときにソール構造体１０１の下側で延在してもよい。この構成の場合、中央部５０６は、ラップ部材１５０が物品１００の周囲に締結されたときに着用者の土踏まずを支持してもよい。この構成を有することで、紐１１０を締め付けることにより、チャネル５００内のラップ部材１５０に張力が及ぼされ、また、着用者の土踏まずが支持され得る。
【００５７】
幾つかの実施形態においては、ラップ部材１５０は、第１の縁部５０２および／または第２の縁部５０４と関連する第１の幅Ｗ１から中央部５０６と関連する第２の幅Ｗ２までテーパ状になっている。一実施形態では、第１の幅は第２の幅Ｗ２よりも大きい。他の実施形態では、第１の幅Ｗ１および第２の幅Ｗ２は同程度であってもよい。さらなる他の実施形態では、第２の幅Ｗ２は第１の幅Ｗ１より大きくてもよい。
【００５８】
例示的な実施形態において、第１の幅Ｗ１は、紐縛り領域１０８の一部と関連する第１の長さＬ１に実質的に対応する寸法に形成されている。幾つかの実施形態では、紐縛り領域１０８の一部と関連する第１の長さＬ１は、アッパー１０２の複数の小穴のうちの１つまたは複数と対応してもよい。一実施形態において、第１の長さＬ１は、第２の小穴３１２、第３の小穴３１４、第４の小穴３１６、および、第５の小穴３１８と関連するアッパー１０２上の間隔に対応する。
【００５９】
例示的な実施形態において、第２の幅Ｗ２は、チャネル５００と関連する第２の長さＬ２に実質的に対応する寸法に形成されている。幾つかの実施形態では、チャネル５００と関連する第２の長さＬ２は、履物１００の着用者の足の一部に対応してもよい。例示的な一実施形態では、第２の長さＬ２は履物１００の着用者の土踏まずと関連付けられている。他の実施形態においては、第２の幅Ｗ２は、物品１００の中足領域１２で異なる大きさの支持を与えるべくさらに大きくてもよく、あるいはさらに小さくてもよい。
【００６０】
図６は、ラップ部材１５０が取り外された状態のソール構造体１０１を示す物品１００の底面の分解図を示している。この実施形態では、ソール構造体１０１はミッドソール２００とアウトソール２０２とを含む。幾つかの実施形態においては、アウトソール２０２は、物品１００の前足領域１０、中足領域１２、および／または踵領域１４に配置される１つまたは複数の部分を含んでもよい。例示的な実施形態において、アウトソール２０２は、ソール構造体１０１の前足領域１０と実質的に関連する前足アウトソール部６００を含んでもよい。アウトソール２０２はまた、ソール構造体１０１の踵領域１４と実質的に関連する踵アウトソール部６０６を含んでもよい。この実施形態において、アウトソール２０２は、前足領域１０の前足アウトソール部６００と踵領域１４の踵アウトソール部６０６との間の中足領域１２にわたって連続してはいない。他の実施形態では、アウトソール２０２は中足領域１２の一部まで延びていてもよい。
【００６１】
幾つかの実施形態においては、ソール構造体１０１は、物品１００の内側１６と外側１８との間で前足領域１０、中足領域１２、および／または踵領域１４のそれぞれにわたって延在するミッドソール２００を含んでもよい。一実施形態においては、ソール構造体１０１は、概ね前足領域１０のアウトソール２０２と踵領域１４のアウトソール２０２との間で露出している中足領域１２に配置されたミッドソール２００の部分を含む。例示的な実施形態においては、ミッドソール２００は、前足アウトソール部６００と踵アウトソール部６０６との間の位置に配置されたチャネル５００を含んでもよい。いくつかの場合、チャネル５００は、チャネル５００を組み込んでいる加工済みミッドソール２００により形成されていてもよい。他の場合には、チャネル５００は、ミッドソール２００から材料を除去することによって形成されてもよく、そのような除去は、レーザを使用して材料を除去することを含むが、これに限定されない。
【００６２】
例示的な実施形態において、チャネル５００は、ソール構造体１０１の中足領域１２でミッドソール２００に形成される溝６０２を含んでもよい。幾つかの実施形態では、溝６０２は、ラップ部材１５０の形状に実質的に対応する形状に形成されてもよい。この実施形態においては、ラップ部材１５０は、ラップ部材１５０が物品１００に取り付けられたときにアウトソール２０２間のミッドソール２００の溝６０２に実質的に嵌り込む。溝６０２は、第２の長さＬ２に対応する寸法を有しても良い。一実施形態において、第２の長さＬ２は、ラップ部材１５０の中央部５０６の第２の幅Ｗ２に実質的に対応する寸法に形成されている。
【００６３】
例示的な一実施形態において、溝６０２は、ラップ部材１５０の中央部５０６の厚さと同程度の深さ６０４を有している。この構成を有することで、ラップ部材１５０は、物品１００の下側において、ミッドソール２００の溝６０２内に面一に配置され得る。他の実施形態では、溝６０２の深さ６０４は、ラップ部材１５０の厚さよりも深くても浅くてもよい。
【００６４】
幾つかの実施形態では、ラップ部材１５０は１つまたは複数の軸に関して対称に構成されてもよい。一実施形態では、ラップ部材１５０は横軸に関して略対称に構成されている。この構成を有することで、ラップ部材１５０が半分に折り畳まれたときに、第１の縁部５０２と第２の縁部５０４とが概ね整列し得る。他の実施形態において、ラップ部材１５０は、１つまたは複数の軸に関して非対称に構成されている。一実施形態においては、ラップ部材１５０は、長手方向軸に関して非対称に構成されてもよい。例示的な実施形態では、ラップ部材１５０は前縁５０８と後縁５１０とを含んでいる。この実施形態では、前縁５０８は略凸形の形状を有している。いくつかの場合、後縁５１０は前縁５０８とは概形が異なる形状を有してもよい。他の場合には、前縁５０８および後縁５１０は同様の形状を有してもよい。他の実施形態では、前縁５０８および／または後縁５１０は他の形状を有してもよい。
【００６５】
幾つかの実施形態では、ラップ部材１５０は１つまたは複数の領域を含んでもよい。この実施形態において、ラップ部材１５０は、第１の縁部５０２と関連する第１の領域６２０と、第２の縁部５０４と関連する第２の領域６２２と、中央部５０６と関連する第３の領域６２４とを含んでもよい。第１の領域６２０、第２の領域６２２および、第３の領域６２４は、単に説明を目的としており、ラップ部材１５０の正確な領域を画定するものではなく、相対的な位置を説明するものであることを理解されたい。
【００６６】
幾つかの実施形態において、ラップ部材１５０の１つまたは複数の領域は、前縁５０８および後縁５１０のうちの一方に沿う形状にされていてもよい。例示的な実施形態においては、第１の領域６２０、第２の領域６２２、および第３の領域６２４のそれぞれの前縁５０８は、同様の形状にされていてもよい。一実施形態において、第１の領域６２０、第２の領域６２２、および、第３の領域６２４のそれぞれの前縁５０８は、略凹形状と関連付けられていてもよい。いくつかの場合、第１の領域６２０、第２の領域６２２、および第３の領域６２４のうちの１つまたは複数の前縁５０８はほぼ凹状であってもよい。一実施形態において、第１の領域６２０および第２の領域６２２の前縁５０８は、第３の領域６２４の前縁５０８よりも大きい程度で凹状であってもよい。
【００６７】
幾つかの実施形態において、第１の領域６２０、第２の領域６２２、および第３の領域６２４のそれぞれの後縁５１０は、互いに異なる形状にされていてもよい。一実施形態では、第１の領域６２０および第２の領域６２２の後縁５１０は第１の形状にされていて、第３の領域６２４の後縁５１０は第２の形状にされていてもよい。例示的な実施形態では、第１の領域６２０および第２の領域６２２の後縁５１０は略凸形状にされていてもよい。この実施形態では、第３の領域６２４の後縁５１０は略凹形状と関連付けられていてもよい。この構成では、第１の領域６２０および第２の領域６２２が前縁５０８および後縁５１０上で同様の形状を有してもよい。一方、第３の領域６２４は前縁５０８および後縁５１０上で異なる形状を有してもよい。他の実施形態では、第１の領域６２０、第２の領域６２２、および第３の領域６２４のそれぞれの前縁５０８および／または後縁５１０は、他の形状を有してもよい。
【００６８】
幾つかの実施形態では、ラップ部材１５０の１つまたは複数の領域の形状は、物品１００の一部に対応するように適合されている。一実施形態では、ラップ部材１５０の形状はソール構造体１０１のチャネル５００の１つまたは複数の部分に対応してもよい。例示的な実施形態では、ラップ部材１５０の第３の領域６２４の前縁５０８および後縁５１０の形状は、ミッドソール２００の溝６０２に対応するように適合されてもよい。この実施形態においては、前足領域１０寄りにある溝６０２の前縁は、ラップ部材１５０の第３の領域６２４の前縁５０８と同様の形状を有してもよい。同様に、踵領域１４寄りにある溝６０２の後縁は、ラップ部材１５０の第３の領域６２４の後縁５１０と同様の形状を有してもよい。他の実施形態において、ミッドソール２００を含むソール構造体１０１の１つまたは複数の部分は、ラップ部材１５０の１つまたは複数の領域と同様の形状を有してもよい。
【００６９】
他の実施形態においては、第１の領域６２０および／または第２の領域６２２の前縁５０８および後縁５１０は、アッパー１０２上に配置された１つまたは複数のアライメントストリップに対応する形状を有してもよい。一実施形態において、第１の領域６２０の前縁５０８および後縁５１０は、アッパー１０２上の前方アライメントストリップ４０４および後方アライメントストリップ４０６のそれぞれの形状に実質的に対応する形状を有してもよい。幾つかの実施形態において、第１の領域６２０および／または第２の領域６２２の前縁５０８および後縁５１０は、アッパー１０２上のサドル部４００と同様の形状を有してもよい。
【００７０】
幾つかの実施形態において、ソール構造体１０１は、地面との静止摩擦力を高めることができるクリート部材をさらに含んでもよい。いくつかの場合、ソール構造体１０１は、アウトソール２０２に組み込まれるクリート（滑り止め）部材を含んでもよい。他の場合には、アウトソール２０２が取り外し可能なクリート部材を含んでもよい。幾つかの実施形態においては、ソール構造体１０１および／またはアウトソール２０２は、その全体が本出願の参照となるＣａｍｐｂｅｌｌの米国特許第６，８１７，１１７号明細書に記載される１つまたは複数の特徴を含んでもよい。一実施形態では、米国特許第６，８１７，１１７号明細書に記載される静止摩擦力エレメントが物品１００と組み合わせて使用される。
【００７１】
次に、図７を参照すると、リバーシブルなラップ部材の例示的な実施形態が示されている。例示目的のため、右足用の履物７００が示されている。この実施形態では、物品７００はリバーシブルなラップ部材７０２を含む。ラップ部材７０２は、１つまたは複数の前述の実施形態に記載したラップ部材１５０と同様のものでもよい。
【００７２】
幾つかの実施形態では、ラップ部材７０２は履物７００に関してリバーシブルであってもよい。言い換えると、ラップ部材７０２は、ラップ部材７０２のいずれの側を物品７００へ向けた状態で配置してもよい。一実施形態において、ラップ部材７０２は、一方の側が物品７００に面する第１の形態から、反対側が物品７００に面する第２の形態へと裏返されてもよい。いくつかの場合、ラップ部材７０２は同じ履物に関してリバーシブルであってもよい。他の場合には、ラップ部材７０２は、一対の履物の左右の一方あるいは両方の履物に関してリバーシブルであってもよい。
【００７３】
幾つかの実施形態において、ラップ部材７０２は、ラップ部材７０２を横軸に関してほぼ対称に構成することでリバーシブルにつくられている。一実施形態においては、ラップ部材７０２は、リバーシブルにつくられていて、ラップ部材７０２が半分に折り畳まれたときにラップ部材７０２の互いに遠位端の両縁が概ね整列する。幾つかの実施形態においては、ラップ部材７０２の１つまたは複数の領域は、前縁および後縁のうちの一方に沿う形状と関連付けられていてもよい。例示的な実施形態において、ラップ部材７０２の対向する両端と関連する前縁および／または後縁が、同様の形状と関連付けられていてもよい。この構成においては、ラップ部材７０２は、第１の形態にあるときと第２の形態にあるときに物品７００との同様のフィット具合を保ってもよい。
【００７４】
幾つかの実施形態において、ラップ部材７０２は、一方の面に配置された第１の表面７０４と、反対の面に配置された第２の表面７０６とを含んでもよい。幾つかの実施形態において、ラップ部材７０２は、ラップ部材７０２の第１の表面７０４か第２の表面７０６のいずれかを物品７００に面して配置できるように両側間でリバーシブルであってもよい。例示的な実施形態では、第１の表面７０４と第２の表面７０６とは互いに異なる特性を有してもよい。この実施形態では、第１の表面７０４と第２の表面７０６とは互いに異なる色であってもよい。他の実施形態において、ラップ部材７０２の１つまたは複数の表面を含む部分は、色、文字、印刷デザイン、反射率、粗さ、および／または材料を含む（これらに限定されない）様々な異なる特性を有してもよい。
【００７５】
図７に示されるように、リバーシブルなラップ部材７０２は、第２の表面７０６が物品７００の外側上に配置された第１の形態から、第１の表面７０４が物品７００の外側上に配置された第２の形態へと変化し得る。この実施形態において、リバーシブルなラップ部材７０２は、裏返すことによって第１の形態と第２の形態との間で変化し得る。この構成を有することで、物品７００は、第１の表面７０４および第２の表面７０６のそれぞれに特有の特性に基づいて外観が変化し得る。この例示的な実施形態では、第１の表面７０４と第２の表面７０６との間の異なる特性は、色である。一実施形態では、第１の表面７０４に関連する第１の色が物品７００のアッパーに関連する色とほぼ同じであってもよく、第２の表面７０６に関連する第２の色が対照的な色であってもよい。この構成を有することで、物品７００を統一色とするかサドルシューズの外観とするかで変更可能である。
【００７６】
色、文字、印刷デザイン、反射率、粗さ、および／または材料を含む（これらに限定されない）様々な異なる特性を有するリバーシブルなラップ部材を使用して、他の形態が物品７００に与えられてもよい。
【００７７】
次に、図８を参照すると、互換性のあるラップ部材の例示的な実施形態が示されている。この実施形態では、右足用物品８００および左足用物品８０１を含む一対の履物が示されている。幾つかの実施形態では、一対の履物は１つまたは複数の互換性のあるラップ部材を含んでもよい。この実施形態では、例示の目的のために、単一の互換性のあるラップ部材８０２が示されている。ラップ部材８０２は、前述の１つまたは複数の実施形態に記載したラップ部材１５０および／またはリバーシブルなラップ部材７０２と同様なものでよい。
【００７８】
幾つかの実施形態では、ラップ部材８０２は、右足用物品８００と左足用物品８０１との間で互換性があってもよい。言い換えると、ラップ部材８０２は、右足用物品８００および左足用物品８０１の両方に適合するように構成されてもよい。図８に示されるように、互換性のあるラップ部材８０２は、右足用物品８００から取り外されて左足用物品８０２に取り付けられ得る。この実施形態では、互換性のあるラップ部材８０２は、右足用物品８００および左足用物品８０１の両方に適合し得る。
【００７９】
一実施形態において、ラップ部材８０２は、一方の面が右足用物品８００に面する第１の形態から、反対の面が左足用物品８０１に面する第２の形態へと裏返されてもよい。幾つかの実施形態において、互換性のあるラップ部材８０２は、図７に関連して前述したものと同じ履物上に関してリバーシブルであってもよい。
【００８０】
幾つかの実施形態においては、ラップ部材８０２は、該ラップ部材８０２の横軸に関してほぼ対称に構成されることによって右足用物品８００と左足用物品８０１との間で互換性を有する。一実施形態において、ラップ部材８０２は、ラップ部材８０２が半分に折り畳まれたときにラップ部材８０２の互いに遠位端の両縁が概ね整列するように互換性を有する。幾つかの実施形態においては、ラップ部材８０２の１つまたは複数の領域は、前縁および後縁のうちの一方に沿う形状にされている。例示的な実施形態において、ラップ部材８０２の両端と関連する前縁および／または後縁は、ほぼ同様の形状に形成されていてもよい。この構成を有することで、ラップ部材８０２は、右足用物品８００と左足用物品８０１とに同様に適合し得る。
【００８１】
幾つかの実施形態において、ラップ部材８０２は、一方の側上に配置された第１の表面８０４と、反対側上に配置された第２の表面８０６とを含んでもよい。例示的な一実施形態では、第１の表面８０４と第２の表面８０６とは互いに異なる特性を有してもよい。この実施形態では、第１の表面８０４と第２の表面８０６とは互いに異なる色であってもよい。他の実施形態において、互換性のあるラップ部材８０２の１つまたは複数の表面を含む部分は、色、文字、印刷デザイン、反射率、粗さ、および／または材料を含む（これらに限定されない）様々な特性を有してもよい。
【００８２】
他の実施形態では、追加のラップ部材が、物品１００と共に供給されてもよいし、物品１００とは別に購入されるものであってもよい。幾つかの実施形態では、追加のラップ部材が異なる特性を有している。この構成を有することで、着用者がラップ部材を交換することによって履物の外観が変更され得る。
【００８３】
本発明の様々な実施形態について説明してきたが、この説明は、例示的であって、限定しようとするものではなく、また、当業者であれば分かるように、本発明の範囲内でさらに多くの実施形態および実装形態が可能である。したがって、本発明は、添付の特許請求の範囲およびそれらの均等物の観点からを除き、限定されるべきではない。また、添付の特許請求の範囲内で様々な改変および変更がなされてもよい。
【図１】
0005643420.tif 000002
【図２】
0005643420.tif 000003
【図３】
0005643420.tif 000004
【図４】
0005643420.tif 000005
【図５】
0005643420.tif 000006
【図６】
0005643420.tif 000007
【図７】
0005643420.tif 000008
【図８】
0005643420.tif 000009